(57)【特許請求の範囲】
【請求項１】
電波中継器を経由して第１電波による近距離無線通信を行なう近距離無線通信部と、前記第１電波とは異なる第２電波を受信する受信部とを有する携帯通信端末であって、
前記第２電波のマルチパスを検出するマルチパス検出部、
前記マルチパス検出部が検出したマルチパスが所定以上であるとき、前記電波中継器を探索する探索部を備える、携帯通信端末。
【請求項２】
前記マルチパス検出部が検出したマルチパスが所定以上でないとき、前記探索部による探索を停止する停止部をさらに備える、請求項１記載の携帯通信端末。
【請求項３】
前記停止部は、前記マルチパス検出部が検出したマルチパスが所定以上であるとき、探索中止の指示に応じて探索を停止する、請求項２記載の携帯通信端末。
【請求項４】
前記マルチパス検出部は、基準信号との位相差に基づいて前記所定以上のマルチパスの有無を検出する、請求項１ないし３のいずれかに記載の携帯通信端末。
【請求項５】
前記受信部はＧＰＳ信号を受信するＧＰＳ信号受信部を含み、
前記探索部は前記ＧＰＳ信号の受信強度が所定以下になったとき、前記電波中継器を探索する、請求項１ないし４のいずれかに記載の携帯通信端末。
【請求項６】
電波中継器を経由して第１電波による近距離無線通信を行なう近距離無線通信部と、前記第１電波とは異なる第２電波を受信する受信部とを有し、さらに前記第２電波のマルチパスを検出するマルチパス検出部および前記電波中継器を探索する探索部を備える携帯通信端末のコンピュータによって実行されるプログラムであって、前記プログラムは前記コンピュータに
前記マルチパス検出部で検出したマルチパスが所定以上であるとき、前記探索部に探索指示を与えるステップを実行させる、携帯通信端末のプログラム。
【発明の詳細な説明】
【技術分野】
【０００１】
この発明は、携帯通信端末およびプログラムに関し、特にたとえば携帯電話機のような無線通信機能とたとえばＷｉ‐Ｆｉ方式の近接無線通信機能を備える、携帯通信端末およびプログラムに関する。
【背景技術】
【０００２】
この種の携帯通信端末において、Ｗｉ‐Ｆｉ（商品名）のような近接無線通信機能を利用する場合、通常、アクセスポイント（Access Point: AP）と呼ばれる電波中継器を通して、有線ＬＡＮにアクセスする。このような電波中継器は屋内のしかも限られた場所にしか設置されていない。したがって、近距離無線通信を実行しようとするユーザは、電波中継器を探す必要がある。最近ではそれがどこにあるかという情報を提供してくれるインタネットサービスもあるが、それでもなお、電波中継器を探す作業は面倒である。
【０００３】
一方、近距離無線通信機能付の携帯通信端末では、近距離無線通信回路に電波中継器を自動的に探索して接続する機能が設けられているので、近接無線通信機能を利用しようとするユーザは、常に、この近距離無線通信回路をオン状態にしておく。そうすれば、その近距離無線通信回路が自動的に電波中継器（アクセスポイント）を探索してくれるので、ユーザ自身が手動的に電波中継器を探さなくてもよい。しかしながら、近距離無線通信回路は屋外でもオンしておくため、電池の消費が大きい。
【０００４】
近距離無線通信回路を使って電波中継器を探索し、しかも電池の消費を最小にするには、屋外に出たらユーザが近距離無線通信回路をオフし、屋内に入ったらオンするようにすればよいが、そのようなオン／オフ操作は面倒である。
【０００５】
特許文献１には、カメラを使って、屋外か屋内かを推定する方法が開示されているので、この背景技術を使って自動的に屋外か屋内かを判断することによって、近距離無線通信回路を自動的にオン／オフすることも考えられる。そうすれば、ユーザは、必要なときだけ近距離無線通信回路をオンすることによって電波中継器を自動的に探索できるので、電池の無駄な消費を抑制する一方で面倒なオン／オフの手動操作から解放される。
【特許文献１】特開２００１‐１０３００２号公報［H04B 7/26 H01Q 3/24］
【発明の概要】
【発明が解決しようとする課題】
【０００６】
特許文献１の背景技術では、たとえばポケットやかばんの中に入れた状態では通常カメラは作動しないので、そのような状態にあるときには、屋外か屋内かを適切に推定することはできず、上で考えた自動的な近距離無線通信回路のオン／オフ切り換えが確実かつ適正に実行されるとは限らない。
【０００７】
それゆえに、この発明の主たる目的は、新規な、携帯通信端末およびそれのプログラムを提供することである。
【０００８】
この発明の他の目的は、ユーザ操作なしに確実かつ適正に電波中継器を探索できる、携帯通信端末およびそれのプログラムを提供することである。
【０００９】
この発明の他の目的は、ユーザ操作なしにしかも電池を無駄に消費することなく電波中継器を探索できる、携帯通信端末およびそれのプログラムを提供することである。
【課題を解決するための手段】
【００１０】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【００１１】
第１の発明は、電波中継器を経由して第１電波による近距離無線通信を行なう近距離無線通信部と、第１電波とは異なる第２電波を受信する受信部とを有する携帯通信端末であって、第２電波のマルチパスを検出するマルチパス検出部、マルチパス検出部が検出したマルチパスが所定以上であるとき、電波中継器を探索する探索部を備える、携帯通信端末である。
【００１２】
第１の発明では、携帯通信端末（10：実施例において相当する部分を例示する参照符号。以下、同様。）において、たとえばＷｉ‐Ｆｉ方式の近距離無線通信部（40）は、たとえばアクセスポイントと呼ばれることもある電波中継器（44）を経由して近距離無線通信用の第１電波による近距離無線通信を行なう。受信部（14:50）は、携帯通信端末（10）がたとえば携帯電話機のときには、携帯電話用の第２電波を受信する。マルチパス検出部（12,20）は、第２電波のマルチパスを検出する。ここで、マルチパス（multipath）は、多重波伝送路と訳されるとおり、送信された電波が受信されるまでに複数の経路をたどる現象をいい、たとえば、直線で最短距離を結ぶ直接波のほかに反射波や透過波、回折波などによって発生するものである。そして、マルチパス検出部が所定以上のマルチパスを検出したとき、携帯通信端末は屋内に在ると判断できる。したがって、たとえばＷｉ‐Ｆｉ方式の近距離無線通信部（40）に含まれる探索部（42）は、所定以上のマルチパスが検出されたときたとえばコンピュータ（12）からの探索命令によって能動化され、電波中継器（アクセスポイント）を自動的に探索する。
【００１３】
第１の発明によれば、所定以上の第２電波のマルチパスがあるとき、携帯通信端末が屋内にあると判断して、探索部が自動的に電波中継器を探索するので、ユーザが近距離無線通信部をオン／オフする面倒な操作を省略できる。しかも、第２電波が携帯電話用の電波である場合、携帯電話機は待ち受け状態でも常にそのような第２電波を受信しているので、携帯通信端末が屋内にあるか屋外に在るかを判断するために特別な受信部を用いる必要がなく、電池の消費を抑制することができる。ただし、携帯通信端末が携帯電話機であっても第２電波が携帯電話用の電波でないとき、つまり第２電波が携帯通信端末が常時受信している電波でないときには、別の受信部を用いる必要があるので、電池の消費の抑制という効果はあまり期待できないかも知れないが、電波（第２電波）の状態に基づいて屋内か屋外かを判断するので、たとえばカメラの画像で屋内屋外を判断する場合に比べて、携帯通信端末をかばんやポケットに入れた状態でも、屋内か屋外かを判断でき、確実に電波中継器を探索することができ、そのためのユーザの面倒な操作を省略できるという効果は期待できる。
【００１４】
第２の発明は、第１の発明に従属し、マルチパス検出部が検出したマルチパスが所定以上でないとき、探索部による探索を停止する停止部をさらに備える携帯通信端末である。
【００１５】
第２の発明では、停止部（12,S2）は、マルチパス検出部が検出したマルチパスが所定以上でないとき、が携帯通信端末は屋外に在ると判断して、探索部（42）による探索を停止させる。
【００１６】
第２の発明によれば、携帯通信端末が屋外に在るときには探索部による電波中継器の探索動作を強制的に停止させるので、探索部が屋外で、存在するはずもない電波中継器を探索してしまうということがなく、無駄な探索による電池の消費を確実に抑制することができる。
【００１７】
第３の発明は、第２の発明に従属し、停止部は、マルチパス検出部が検出したマルチパスが所定以上であるとき、探索中止の指示に応じて探索を停止する、携帯通信端末である。
【００１８】
第３の発明では、ユーザの指示によって、マルチパス検出部が所定以上のマルチパスを検出したときでも、探索を停止する。
【００１９】
第３の発明によれば、たとえば電波中継器が近くにあることをユーザが確認した場合に、ユーザの意思によって、探索を停止できるので、電池の消費を一層抑制することができる。
【００２０】
第４の発明は、第１ないし第３のいずれかの発明に従属し、マルチパス検出部は、基準信号との位相差に基づいて所定以上のマルチパスの有無を検出する、携帯通信端末である。
【００２１】
第４の発明では、マルチパス検出部（20）は、基準信号との位相差に基づいて所定以上のマルチパスの有無を検出するので、簡単にマルチパスの発生を検知できる。
【００２２】
第５の発明は、第１ないし第４のいずれかの発明に従属し、受信部はＧＰＳ信号を受信するＧＰＳ信号受信部を含み、探索部はＧＰＳ信号の受信強度が所定以下になったとき、電波中継器を探索する、携帯通信端末である。
【００２３】
第５の発明では、ＧＰＳ信号受信部（50）はＧＰＳ信号を受信し、ＧＰＳ信号の受信強度が所定以下になったとき、探索部は、ＧＰＳ信号の受信強度が所定以下になったとき、携帯通信端末が屋内に在ると判断して、電波中継器を探索する。
【００２４】
第５の発明によれば、ＧＰＳ電波の状態に基づいて屋内か屋外かを判断するので、たとえばカメラの画像で屋内屋外を判断する場合に比べて、確実に屋内か屋外かを判断でき、電波中継器を探索するためのユーザの面倒な操作を省略できるという効果は期待できる。
【００２５】
第６の発明は、電波中継器を経由して第１電波による近距離無線通信を行なう近距離無線通信部と、第１電波とは異なる第２電波を受信する受信部とを有し、さらにさらに第２電波のマルチパスを検出するマルチパス検出部および電波中継器を探索する探索部を備える携帯通信端末のコンピュータによって実行されるプログラムであって、前記プログラムはコンピュータにマルチパス検出部で検出したマルチパスが所定以上であるとき、探索部に探索指示を与えるステップを実行させる、携帯通信端末のプログラムである。
【００２６】
第６の発明でも第１の発明と同様の効果が期待できる。
【発明の効果】
【００２７】
この発明によれば、ユーザの面倒な操作なしに、確実にかつ適正に電波中継器を探索することができる。また、第２電波がその携帯通信端末が常時受信する電波であるある場合、携帯通信端末が屋内にあるか屋外に在るかを判断するために特別な受信部を用いる必要がなく、電池の消費を抑制することができる。
【００２８】
この発明の上述の目的、その他の目的、特徴および利点は、図面を参照して行う以下の実施例の詳細な説明から一層明らかとなろう。
【図面の簡単な説明】
【００２９】
【図１】図１はこの発明の一実施例である携帯通信端末の電気的な構成を示す図解図である。
【図２】図２は図１に示すＲＡＭのメモリマップの一例を示す図解図である。
【図３】図３は図１実施例の動作の一例を示すフロー図である。
【図４】図４はこの発明の他の実施例である携帯通信端末の電気的な構成を示す図解図である。
【図５】図５は図４実施例の動作の一例を示すフロー図である。
【図６】図６は図３実施例の変形例の動作の一例を示すフロー図である。
【図７】図７は図６実施例においてユーザに電波中継器の探索中止の許可を求めるメッセージの一例を示す図解図である。
【発明を実施するための形態】
【００３０】
図１を参照して、この実施例の携帯通信端末１０は、一例として、ＣＤＭＡ（Code Division Multiple Access：符号分割多元接続）方式の携帯電話機であり、プロセサないしＣＰＵなどと呼ばれるコンピュータ１２を含む。コンピュータ１２は、無線通信回路１４およびアンテナ１６を通して携帯電話用の電波（第２電波）を受信し、または送信させる。無線通信回路１４は、この実施例では携帯通信端末１０がＣＤＭＡ方式の携帯電話機であるので、レイク受信部１８を含み、レイク受信部１８は位相検出部２０を含む。
【００３１】
なお、図１のブロック図は、この実施例の説明に必要な部分を主として描き、一般的に携帯通信端末に含まれてはいるが実施例の説明に重要ではない部分は図示を省略していることを予め指摘しておく。
【００３２】
上で説明したように、マルチパスは、送信された電波が受信されるまでに複数の経路をたどる現象をいい、直接波の他に反射波や透過波、回折波などが発生するために起こるものである。反射波は高層ビルなどの障害物で反射されながら進むので、直接波よりもやや遅れて受信される。障害物で電波が反射されずに、そのまま素通りしてくるものを透過波と呼ぶ。障害物の角を通過する電波が屈折によって方向を変えたものが回折波である。このようなマルチパスは直接波に対しての障害となる電波である。
【００３３】
これに対して、実施例のＣＤＭＡ方式の携帯電話機では、このマルチパスを積極的に活用する「レイク受信」という技術を採用している。
【００３４】
レイク（Rake）とは、「熊手」のことで、レイク受信とは「電波をかき集めて受信する」ことを指す。つまり、マルチパスとして直接波や反射波が複数方向から届いた場合、同じ周波数を持つ干渉波として本来の受信に悪影響を及ぼしてしまう。そこで，マルチパスの電波を個々に受信し、位相のずれなどを修正した上で重ね合わせて利用する技術がレイク受信である。レイク受信で重ね合わせた信号は、直接波だけを取り込んだ信号よりも大きくなるため、Ｓ／Ｎ比が上がることで雑音にも強くなる。
【００３５】
このようなレイク受信を実現するのがレイク受信部１８であり、レイク受信部１８では上述のように位相のずれを修正する必要があるので、レイク受信部１８は、位相検出部２０を含む。位相検出部２０は、一例として、マルチパスの各電波による信号の位相を基準信号（パイロット信号）の位相と個々に比較することによって、各信号の位相ずれの程度（位相差）を検出し、各信号の位相差を示すデータを得る。この位相差データがレイク受信部１８における位相補正に利用される。
【００３６】
なお、携帯通信端末１０が携帯電話機である場合、無線通信回路１４では、上述のレイク受信部１８が、アンテナ１６から受信した携帯電話用電波を処理して受信信号を出力する。無線通信回路１４はこの受信信号から音声信号を再生または復調し、この音声信号がコンピュータ１２に入力される。音声信号はコンピュータ１２で音声データに変換されて出力され、Ｄ／Ａ変換器２２で出力音声信号に変換され、スピーカ２４から音声として出力される。
【００３７】
他方、マイク２６からの音声信号は、Ａ／Ｄ変換器２８によって音声データに変換されてコンピュータ１２に入力され、さらにコンピュータ１２から無線通信回路１４に出力される。無線通信回路１４ではその音声データを含む送信信号を生成して、アンテナ１６から送信する。送信信号は、基地局（図示せず）を経由して通話相手の携帯電話機に携帯電話信号として受信される。
【００３８】
なお、携帯通信端末１０が携帯電話機以外の、たとえばＰＤＡやタブレットコンピュータのような携帯通信端末である場合、無線通信回路１４は、たとえばメールなどの送受信に利用され得る。つまり、この発明の携帯通信端末１０は携帯電話機に限らず、任意の携帯通信端末であってよい。
【００３９】
なお、位相検出部２０で検出した各マルチパス信号の位相差データは、コンピュータ１２にも与えられる。
【００４０】
キー入力装置３０は操作部として機能し、通話キー、終話キーおよびテンキーなどが含まれる。また、使用者が操作したキーの情報（キーデータ）はコンピュータ１２に入力される。
【００４１】
表示ドライバ３２は、コンピュータ１２の指示の下、当該表示ドライバ３２に接続されたディスプレイ３４の表示を制御する。また、表示ドライバ３２は表示する画像データを一時的に記憶するビデオメモリ（図示せず）を含む。
【００４２】
フラッシュメモリ３６はたとえばプログラム（後述）を予め記憶しておいたり、あるいは外部メモリとして利用されるものであり、ＲＡＭ３８は、一時記憶用に用いられる。
【００４３】
携帯通信端末１０の近距離無線通信回路４０はＷｉ‐Ｆｉ方式の近距離無線通信を実行する。Ｗｉ‐Ｆｉ（Wireless Fidelity）は、IEEE 802.11シリーズ(IEEE 802.11a/IEEE 802.11b)という通信規格を利用した無線機器間の相互接続性等について、所定の認証機関によって認証されたことを示す名称である。つまり、Ｗｉ-Ｆｉは近距離無線通信の一方式であり、この実施例の携帯通信端末１０では、Ｗｉ‐Ｆｉ方式の近距離無線通信回路４０を用いる。
【００４４】
Ｗｉ‐Ｆｉ方式の近距離無線通信では、アクセスポイントと呼ばれる電波中継器４４を経由して有線ＬＡＮにアクセスするので、近接無線通信回路４０には、このような電波中継器４４を自動的に探索（サーチ）する探索部４２が設けられる。そして、探索部４２が電波中継器４４を見つけたら、近距離無線通信回路４０は、その電波中継器４４との接続処理を自動的に実行する。
【００４５】
図２は、ＲＡＭ３８のメモリマップを示す図である。ＲＡＭ３８には、プログラム記憶領域４６およびデータ記憶領域４８が形成される。プログラム記憶領域４６には、ＯＳや携帯通信端末１０を動作させるための基本的なプログラム（図示せず）の他に、この実施例のための接続確立プログラム４６１が記憶される。この接続確立プログラム４６１は後述の図３で示す近距離無線通信回路４０を接続（無線だが、便宜上「接続」という語を使用する。）すべき電波中継器４４を探索部４２で探索して近距離無線通信回路４０を探索に成功した電波中継器４４に接続するためのプログラムである。また、データ記憶領域４８は上述の各プログラムの実行のためのワークメモリとして機能するが、実施例では、タイマ領域４８１が設定される。
【００４６】
なお、プログラムやデータは、フラッシュメモリ３６から一度に全部または必要に応じて部分的かつ順次的に読み出され、ＲＡＭ３８に記憶されてからコンピュータ１２によって処理される。
【００４７】
図３は図１実施例の動作を示すフロー図であり、この処理ルーチンは、前述したように、コンピュータ１２が位相検出部２０から位相差データを受信する都度、開始され実行される。
【００４８】
コンピュータ１２が位相検出部２０から位相差データを受信したとき、最初のステップＳ１において、コンピュータ１２は、そのとき受信した位相差データの中に、所定の閾値以上の位相差データが含まれているかどうか判断する。このステップＳ１で“ＮＯ”を判断するということは、基準信号に対して閾値以上遅れて受信した電波がなかったということであり、つまり、所定以上のマルチパスが発生していないことを意味する。所定以上のマルチパスの発生がないということは、このとき携帯通信端末１０は屋外に在る可能性が極めて高く、したがって、アクセスポイントのような電波中継器４４を探索する意味がないので、コンピュータ１２は次のステップＳ２において、近距離無線通信回路４０に含まれる探索部４２に、探索の停止を指示する探索停止命令を与える。そのため、探索部４２が屋外で電波中継器を探索してしまうという無駄を排除でき、したがって、無駄な探索に伴う電池の無駄な消費を回避できるので、結局電池の消費を抑制することができる。
【００４９】
ステップＳ２で探索部４２による探索を停止した後、図３の処理は終了する。
【００５０】
ただし、ステップＳ２は、ユーザが近距離無線通信回路４０をオンさせる操作をしていた場合には実行しないで、ステップＳ１で“ＮＯ”が判断されたらそのまま図３の処理は終了するようにしてもよい。しかしながら、仮にユーザが近距離無線通信回路４０をオンしていたとしてもステップＳ２を実行するようにしてもよい。その場合には、ユーザがうっかり近距離無線通信回路４０をオンしたままのときでも、電池の無駄な消費を確実に停止できる。
【００５１】
ステップＳ１で“ＹＥＳ”を判断したとき、すなわち所定以上のマルチパスが発生していると判断したとき、コンピュータ１２は次のステップＳ３に進む。所定以上のマルチパスの発生があるということは、このとき携帯通信端末１０は屋内に在る可能性が極めて高く、したがって、コンピュータ１２はステップＳ３で、電波中継器（アクセスポイント）４４を探索するために、近距離無線通信回路４０の探索部４２に、探索を指示する探索命令を与える。それとともに、コンピュータ１２はステップＳ５において、タイマ４８１（図２）を起動し、探索命令を出してからの時間を計測する。
【００５２】
コンピュータ１２から探索命令が出されると、探索部４２は、たとえば近距離無線通信回路４０で使用する周波数を少しずつ変化させるなどして、その携帯通信端末１０で使用可能な電波中継器４４を探索する。
【００５３】
探索部４２が電波中継器４４を探索すると、コンピュータ１２に対して探索成功通知がなされる。そこで、ステップＳ７では、コンピュータ１２は、探索部４２からその探索成功通知が入力されたかどうか判断する。
【００５４】
ステップＳ７で“ＹＥＳ”が判断されたとき、コンピュータ１２は近距離無線通信回路４０に対して、当該探索した電波中継器４４に対する接続動作を実行するようにという接続指示（命令）を与える。応じて、近距離無線通信回路４０は探索した周波数の電波（第１電波）を用いて電波中継器４４にアクセスする。
【００５５】
なお、電波中継器の探索やその後の接続動作は現在実用されている携帯通信端末で一般的に行われている方法と変わるところがないので、それらの詳細な説明はここでは省略する。
【００５６】
先のステップＳ７で“ＮＯ”が判断されたとき、ステップＳ１１で、コンピュータ１２は、ステップＳ５で起動したタイマ４８１がタイムアップしたかどうか判断する。このタイマ４８１は一例として１５秒（ただし、この数値に限定されない。）を計測できるように設定されている。したがって、探索部４２が１５秒経っても電波中継器４４を探索できなかったときには、ステップＳ１１で“ＮＯ”が判断され、その場合には、先に説明したステップＳ２に進む。したがって、１５秒経過する前に電波中継器４４を探索できなかったときには、電池の無駄な消費を抑制するために、ステップＳ２で、コンピュータ１２は探索部４２に探索停止命令を出力する。
【００５７】
このように、図１実施例では、携帯通信端末１０が屋内に存在すると推定したとき、近距離無線通信回路４０の探索部４２によってアクセスポイントのような電波中継器４４を自動的に探索するので、ユーザが手動的に探索を指示するという煩瑣はない。しかも、たとえばカメラ映像で屋内か屋外かを判別する場合に比べて、携帯通信端末１０がかばんやポケットに入れられていても確実に判別することができる。屋外か屋内かを判断するためにその携帯通信端末１０が通常受信する第２電波の状態、たとえば所定以上のマルチパスが発生している状態などを検出するようにすれば、屋内屋外判別用に別の電波受信部を用いる必要がないので、携帯通信端末１０の通常の待ち受け状態以上の余計な電力は要らない。したがって、電池の消費が抑制できる。
【００５８】
しかしながら、図４および図５に示す別の実施例では、第２電波としては携帯通信端末１０が通常受信する電波とは違う電波を利用する。そのために、図４に示す実施例では、ＧＰＳ信号受信回路５０が携帯通信端末１０に設けられている。ＧＰＳ信号受信回路５０は従来携帯通信端末に設けられているものと同様である。
【００５９】
図４の実施例では、コンピュータ１２は、図５のステップＳ２１で示すようにＧＰＳ受信回路５０でのＧＰＳ信号の受信強度が所定の閾値以下かどうかを判断する。つまり、コンピュータ１２は、ＧＰＳ信号の信号強度が閾値以下のとき、携帯通信端末１０は屋内に存在すると推定する。ＧＰＳ信号はよく知られているように、携帯通信端末の屋外での地図上の位置を検知するために利用するものであり、通常屋内では受信できない。そこで、この実施例では、ＧＰＳ信号の受信強度が閾値以下になったかどうかで、携帯通信端末１０が屋外にあるのか屋内にあるのかを判断することにしている。
【００６０】
図４実施例の動作を示す図５は、ステップＳ２１で上述の動作を実行することを除いて、図３で説明した第１の実施例の動作と同様であるので、ここでは重複する説明は省略する。
【００６１】
また、図４の実施例は、無線通信回路１４がＣＤＭＡ方式のものであるかどうかに拘わらず、適用可能である。
【００６２】
また、図３の実施例のステップＳ１とステップＳ３の間に、図６に示すようにステップＳ３１を設け、図７に示すような問合せメッセージ５１を携帯端末のディスプレイ３４に表示するようにしてもよい。すなわち、図６の実施例では、コンピュータ１２は、ステップＳ１でマルチパスが生じていると判断した後、ステップＳ３１で、ディスプレイ３４に、たとえば、図７のように、「屋外にいると判断しましたので、Ｗｉ‐Ｆｉのサーチを停止しますがよろしいでしょうか？」という中止許可を求めるメッセージ５１を表示させる。ユーザが「はい」のボタン５３を選択すれば、コンピュータ１２はステップＳ３３で“ＹＥＳ”を判断し、ユーザが「いいえ」のボタン５５を選択すれば、コンピュータ１２はステップＳ３３で“ＮＯ”を判断する。ステップＳ３３で“ＹＥＳ”を判断したとき、つまり、探索中止をユーザが許可したとき、コンピュータ１２はステップＳ２へ進み、電波中継器の探索を停止させる。一方、ステップＳ３３で“ＮＯ”を判断したとき、つまり、探索中止をユーザが許可しなかったとき、コンピュータ１２はステップＳ３へ進み、先に説明したように電波中継器の探索を行う。
【００６３】
図６の実施例によれば、実際は屋内であったり、電波中継器が近くにあることをユーザが確認した場合に、ユーザの意思により電波中継器の探索を中止することができる。それによって電池の無駄な消費を一層抑制することができる。
【００６４】
図６の実施例は図５の実施例にも同様に適用可能であり、この場合、図５のステップＳ２１の後に図６のステップＳ３１およびＳ３３を挿入すればよい。
【００６５】
また、図３、図５および図６の実施例のステップＳ２では、電波中継器の探索を停止させているが、これに限定されず、たとえば、電波中継器の探索を行う周期を長くしてもよい。
【００６６】
なお、図１に示す実施例ではマルチパスを検出するために、ＣＤＭＡ方式の無線通信回路１４を採用したが、同様にマルチパス処理を実行するＬＴＥ（Long Term Evolution）方式、ＯＦＤＭ（Orthogonal Frequency Division Multiplexing：直交波周波数分割多重）方式などの無線通信回路が採用されてもよい。
【００６７】
さらに、上述の実施例ではいずれも、無線通信回路１４や近距離無線通信回路４０がコンピュータ１２とは別のハードウェアチップであるように示したが、これらの回路１４および／または４０はコンピュータ１２のチップに内蔵されてもよい。
【符号の説明】
【００６８】
１０  …携帯電話機
１２  …コンピュータ
１４  …無線通信回路
１８  …レイク受信部
２０  …位相検出部
４０  …近距離無線通信回路
４２  …探索部
４４  …電波中継器
５０  …ＧＰＳ信号受信回路
【図１】
0005706750.tif 000002
【図２】
0005706750.tif 000003
【図３】
0005706750.tif 000004
【図４】
0005706750.tif 000005
【図５】
0005706750.tif 000006
【図６】
0005706750.tif 000007
【図７】
0005706750.tif 000008